(57)【特許請求の範囲】
【請求項１】
排泄側の表面に配された光透過性である液透過性の表面シートと、非排泄側に配された液不透過性の裏面シートと、それらシートの間に配された液保持性の吸収体とを含むペット用トイレシートであって、
前記表面シートと前記吸収体との間には、有色の消臭剤を含む液透過性の消臭シートが配されており、
排泄側の表面から見たときに、前記ペット用トイレシートの少なくとも周縁部を除く部分で、且つ、前記吸収体に、前記消臭剤の色よりも淡い色の液保持可能領域が形成されているペット用トイレシート。
【請求項２】
有色の前記消臭剤のＬ*ａ*ｂ*表色系のＬ*値が４０以下であり、前記液保持可能領域のＬ*ａ*ｂ*表色系のＬ*値が６５以上、ａ*値が−５〜５、ｂ*値が−１０〜５の範囲である請求項１に記載のペット用トイレシート。
【請求項３】
前記消臭シートは、有色の前記消臭剤を２枚の未晒しパルプ製シートで挟持したものである請求項１又は２に記載のペット用トイレシート。
【請求項４】
前記液保持可能領域は白色系である請求項１〜３の何れか１項に記載のペット用トイレシート。
【請求項５】
前記消臭シートと前記表面シートとの間には、有色の前記消臭剤よりもＬ*ａ*ｂ*表色系のＬ*値が大きく且つ光透過率が表面シートよりも低い中間シートを備えており、前記液保持可能領域は排泄表面側から見たときに該中間シートの色よりも淡い色である請求項１〜４の何れか１項に記載のペット用トイレシート。
【発明の詳細な説明】
【技術分野】
【０００１】
本発明は、犬や猫等のペット（小動物）の排泄液の処理に用いられるペット用トイレシートに関する。
【背景技術】
【０００２】
従来、犬や猫等のペットを住居内で飼育する場合、ペットが排泄した尿等の排泄物を吸収するために、トイレシートが使用されている（例えば下記特許文献１参照）。同文献に記載のシートは、液透過性の表面シート、液不透過性の裏面シート及び両シート間に介在する例えば吸水ポリマーのような液保持性の吸収体を備えている。このようなシートは、一般的には床に載置して用いられ、ペットがその上で排尿をすると、吸収体の吸収性によって、排泄物が吸収される。このようなシートは、ペットの大きさにもよるが、通常１〜数回の尿を吸収した後に、又は１日使用した後に新しいシートと交換される。
【０００３】
ペット用トイレシートに排尿がなされると住居内に尿臭が拡散する。これを防ぐものとして、消臭機能を付与したシートが知られている（例えば、特許文献２〜４）。これらの技術によれば、尿臭に対する有効な消臭効果が期待される。
【先行技術文献】
【特許文献】
【０００４】
【特許文献１】特開２００３−９２９４０号公報
【特許文献２】特開平１−１２０２３４号公報
【特許文献３】特開２００８−１４２０１４号公報
【特許文献４】特開２００８−１６１１５０号公報
【発明の概要】
【発明が解決しようとする課題】
【０００５】
消臭剤を配合したトイレシートでは、その消臭性能が高ければ高いほど、嗅覚的にペットの排尿の有無を判断することが困難になる。特に、特許文献２のように、消臭剤として活性炭等の黒色系のものを使用した場合には、尿の色が見えないか極めて見え難くなるため、排尿の有無を視認することが困難となる。特に、ペットが排尿している行動を見逃した場合に、長時間経過後の排尿の有無を判断することが困難である。
【０００６】
従って本発明の課題は、有色の消臭剤を含有して消臭性能を有しながら、ペットの排尿の有無を長時間経過した後も視認し易いペット用トイレシートを提供することにある。
【課題を解決するための手段】
【０００７】
本発明は、排泄側の表面に配された光透過性である液透過性の表面シートと、非排泄側に配された液不透過性の裏面シートと、それらシートの間に配された液保持性の吸収体とを含むペット用トイレシートであって、前記表面シートと前記吸収体との間には、有色の消臭剤を含む液透過性の消臭シートが配されており、排泄側の表面から見たときに、前記ペット用トイレシートの少なくとも周縁部を除く部分に、前記消臭剤の色よりも淡い色の液保持可能領域が形成されているペット用トイレシートを提供することにより、前記課題を解決したものである。
【発明の効果】
【０００８】
本発明のペット用トイレシートは、消臭性能を有しかつ排尿の有無を長時間経過した後も視認し易い。
【図面の簡単な説明】
【０００９】
【図１】図１は、本発明のペット用トイレシートの第１実施形態を模式的に示す斜視図である。
【図２】図２は、図１のＸ１−Ｘ１線断面を模式的に示す断面図である。
【図３】図３は、図１のペット用トイレシートの有する消臭シート５の斜視図である。
【図４】図４は、本発明のペット用トイレシートの第２実施形態を模式的に示す斜視図である（図２相当図）。
【図５】図５は、図４のペット用トイレシートの有する消臭シート５の斜視図である（図３相当図）。
【図６】図６は、本発明のペット用トイレシートの第３実施形態を模式的に示す斜視図である（図２相当図）。
【図７】図７（ａ）〜（ｄ）は、本発明のペット用トイレシートの更に別の実施形態を模式的に示す平面図である。
【発明を実施するための形態】
【００１０】
以下、本発明のペット用トイレシートについて、その好ましい第１実施形態に基づき図面を参照しながら説明する。第１実施形態のペット用トイレシート１Ａ（以下、「トイレシート１Ａ」ともいう）は、図１、図２に示すように、排泄側の表面に配された液透過性の表面シート２と、非排泄側（排泄側遠方）に配された液不透過性の裏面シート３と、それらシート２，３間に液保持性の吸収体４とを備えている。表面シート２と吸収体４の間には、有色の消臭剤を含む消臭シート５を備え、トイレシート１Ａにおいては、更に、消臭シート５と表面シート２の間に中間シート６を備えている。
【００１１】
なお本発明のペット用トイレシート又はペット用トイレシートを構成する材料においては、ペットが排泄を行う際に近い側を「排泄側」又は「上側」、遠い側を「非排泄側」又は「下側」と呼ぶ。また、上下方向（図中のＺ方向）に対して垂直な方向を「面方向」と呼ぶ。
【００１２】
表面シート２は、光透過性であり、かつ液透過性である。ここで光透過性とは、通常家庭で使用される照明を一方の面から照射した場合に反対側の面から照射した光が見える程度のもの、即ち、表面シートの上側から光を照射した場合に照射側と反対側（下側）の面と接して配される部材が視認できる程度の性質を備えたものを言う。より具体的には、ＪＩＳ  Ｋ  ７１０５法に準拠した全光線透過率測定方法に従った反射率として、反射・透過率計（（株）村上色彩研究所製、商品名「ＨＲ−１００」）を用い、表面シートの任意の点１０点を、Ａ光源で全光透過率Ｔｔの値を測定し、その平均値を持って光透過率とし、当該値が３０〜９０％、特に４０〜８０％のものが好ましい。当該範囲であると、後述するメカニズムにおいて、排尿の有無が視認しやすいと共に、通常状態では下層側シートの色が適度に遮蔽され、視覚的に柔らかな印象となるので、室内に置くペットシートとして周囲との調和が取りやすく好ましい。
【００１３】
表面シート２としては、例えば不織布や多孔性フィルムシート等を用いることができる。好ましくは、液保持性がないか極めて低いもので、液を素早く下層側へ通過させやすい材料がよい。そのような材料を使用することにより、表面の液残りが少なくなるので尿臭が発生・拡散し難くなり、また、消臭シートと尿が接触し易くなるので、より消臭効果が発揮し易い。したがって、表面シート２の材料としては撥水性繊維からなる不織布又はそれを親水化処理した不織布や、樹脂性の多孔性フィルムシートが好ましい。
【００１４】
表面シート２に不織布を使用する場合には、ペットが特に犬等の場合には、いたずらで引っ掻いたり、掘り起こす動作などをするために、十分な強度を有するものが好ましい。そのような不織布としては、ヒートロール不織布、スパンボンド不織布、エアスルー不織布などが挙げられる。十分な液透過性及び機械的強度の確保、並びに経済性の観点から、不織布の坪量は１０〜１００ｇ／ｍ2、特に１５〜４０ｇ／ｍ2であることが好ましい。
【００１５】
図２に示すように、液不透過性の裏面シート３は非排泄側（排泄側遠方）に配されるもので、トイレシート１Ａにおいては最も下側に位置するものであることから、使用状態においてはトイレシートと共に使用するトイレトレーや床等と直接接触する部位となる。そこで、裏面シート３は透湿性がないか低いものであると、トイレシートに尿が排泄された後放置されていても床やトイレトレーに湿気が溜まり難いので好ましい。裏面シート３としては、合成樹脂製の液不透過性フィルムや、スパンボンド−メルトブローン−スパンボンド積層(ＳＭＳ)不織布等の耐水圧が高い撥水性の不織布を用いることができるが、低透湿性という点からは合成樹脂製のフィルムを用いることが好ましい。
【００１６】
液保持性の吸収体４としては、パルプ等のセルロース系繊維からなる吸液性繊維と、高吸収性ポリマー等のヒドロゲル材料からなる粒子との混合体から構成されているものや、又は該混合体がティッシュペーパーや不織布等からなる液透過性シートで包被されて構成されているもの、更には、２枚の不織布の間に膨潤可能な状態で高吸収性ポリマーが挟持されたパルプレス構造のものや、特開平８−２４６３９５号公報記載の吸収性シートなどを使用することができる。トイレシート１Ａでは、吸水性ポリマー、解繊パルプ等の混合物を主とする吸収体４を未晒しパルプ製の紙によって包被して吸収構造体としている。
【００１７】
トイレシート１Ａを平面視した形状は、図１に示すように、Ｙ方向に長い長方形状であるが、平面視した形状に特に制限はなく、例えば楕円形、多角形等の形状であってもよい。トイレシート１Ａを構成する吸収体４を平面視した形状は、特に限定されないが、トイレシート１Ａを平面視した形状と一致していることが好ましく、トイレシート１Ａにおいては、Ｙ方向に長い長方形状である。トイレシート１Ａを構成する表面シート２及び裏面シート３は、吸収体４の外周よりも外方に延出しており、トイレシート１Ａにおいては、互いに同形同大に形成されており、トイレシート１Ａの輪郭と一致する輪郭を有している。
【００１８】
図２に示すように、表面シート２と吸収体４との間、即ち吸収体４の上側には有色の消臭剤を含む液透過性の消臭シート５が配されている。本明細書において「有色」とは、無色透明を除くのみならず、白色（Ｌ*値が８５以上）も除くことを意味する。尚、本明細書において「白色」とはＬ*値が８５以上であり、「白色系」とはＬ*値が８０以上であることを意味する。消臭シート５の消臭剤は、具体的には、ＣＩＥ−Ｌ*ａ*ｂ*表色系におけるＬ*値が４０以下、特に２５以下、更には１０以下のものであることが好ましい。ここで「有色の消臭剤のＬ*値」とは、有色の消臭剤そのもののＬ*値のことであり、粒状等の場合には、シャーレ等に出来る限り隙間なく敷き詰めて測定される。本明細書においては、例えば、口内径３０ｍｍ、高さ１５ｍｍの透明ガラスシャーレに有色の消臭剤を敷き詰め、蓋をしない状態で色差計によって測定する。これに代えて、粉末体を充填し得るセルやアタッチメントを備えた色差計を用いても良い。消臭シート５が吸収体４の上側に配されることにより、吸収体４が吸収保持した尿の臭いを有効に消臭することができる。
消臭シート５を平面視した形状は、特に限定されないが、トイレシート１Ａにおいては、吸収体４と同じ長方形状に形成されており、吸収体４と同じ大きさに形成されている。消臭シート５の有色の消臭剤が配されている部分におけるＬ*値は３５以下、特に２５以下、更には１５以下であることが、長時間経過後の尿の存在を遮蔽する観点から好ましい。また、有色の成分が消臭剤の場合には十分な消臭機能を確保する点で好ましい。なお、消臭シート５のＬ*値の測定方法は、後述する中間シート６の測定方法と同じである。
【００１９】
トイレシート１Ａにおける消臭シート５は、図３に示すように、有色の消臭剤として活性炭を含む消臭層５１を、上側のパルプシート５２及び下側のパルプシート５３に挟持された構造となっている。消臭層５１とパルプシート５２，５３とは、抄き合わせ又は接着剤等を用いた貼り合わせにより積層される。トイレシート１Ａにおける消臭シート５は、図３に示すように、消臭層５１を複数有し、消臭シート５の輪郭と一致するパルプシート５２，５３を有している。各消臭層５１は、トイレシート１Ａにおいては、Ｙ方向に長い長方形状に形成されており、各消臭層５１のＹ方向の長さとパルプシート５２，５３のＹ方向の長さとは略同じである。トイレシート１Ａの消臭シート５は、図３に示すように、パルプシート５２，５３の間に、パルプシート５２，５３のＹ方向に亘って各消臭層５１を配して固定し、各消臭層５１をＸ方向に一定間隔を空けて配して固定して形成されている。尚、各消臭層５１同士の間隔については、後で詳述する。このように形成される消臭シート５としては、本出願人が先に出願した特開２００１−３０９９６８号公報に記載の方法を用いて製造された消臭シートを用いることができる。
消臭シート５の厚み（消臭層５１の配された位置での厚み）は、用途に応じて適宜調整されればよいが、好ましくは０．１〜２．０ｍｍ、更に好ましくは０．２〜０．５ｍｍである。パルプシート５２、５３の厚みは、用途に応じて適宜調整されればよいが、好ましくは０．１〜２．０ｍｍ、更に好ましくは０．２〜０．５ｍｍである。
本発明においてシート材の厚みは、特に断らない限り、測定法としてはキーエンス社製のレーザー厚み計（商品名：ＬＫ−０８０）にて０．２４５ｋＰａの荷重下で測定した値を厚みとする。
【００２０】
トイレシート１Ａにおける消臭シート５を構成する複数の消臭層５１は、多孔性消臭剤と繊維原料を主体としてなる。繊維原料としては、ＮＢＫＰ、ＬＢＫＰ等の木材パルプの他、藁、綿等の非木材パルプ等の公知の天然繊維が使用できる。また、シート強度を向上させる目的で、ポリエチレン繊維等の合成繊維を適宜混合してもよい。消臭層５１における繊維原料の含有率は、好ましくは５０〜９９質量％、更に好ましくは７０〜９７質量％である。５０質量％以上とすることにより、シート強度やフレキシブル性が十分なものとなり、９９質量％以下とすることにより消臭効果が十分に奏される。
【００２１】
消臭シート５の消臭層５１を構成する消臭剤は多孔性であり、孔直径２〜２０ｎｍの細孔の容積が多孔性の消臭剤１ｇ中に０．２ｍｌ／ｇ以上のものが好ましく、０．６ｍｌ／ｇ以上となるように、該細孔を有しているものがより好ましい。孔直径が小さすぎると粒子径が大きい場合など、吸着速度が遅くなり、消臭機能が発揮できないことがある。細孔の容積が小さすぎると、消臭剤の必要量が多くなり、製品のコストが嵩んだり、十分な消臭能力が発揮されない場合がある。
【００２２】
消臭シート５の消臭剤は、その少なくとも一部が疎水性であるのが好ましい。少なくとも一部が疎水性であるとは、少なくとも表面が疎水性であることを好ましくは意味し、これにより、多孔性の消臭剤が濡れにくくなり、排泄物で濡れることにより消臭性能が低下することが少なくなる。また、多孔性の消臭剤の平均粒子径は、１〜５００μｍとするのが、トイレシート１Ａへ導入する際の固定性、分散性及び風合いの点から好ましい。
【００２３】
消臭シート５の消臭剤としては種々用いることができるが、活性炭、備長炭、竹炭、コーヒー殻や、その他有色又は着色した多孔質材料などを使用することができる。これらの中でも、活性炭を用いることが好ましい。活性炭としては、水蒸気賦活活性炭や薬品賦活活性炭を用いることができるが、薬品賦活活性炭が尿臭の消臭効果が高いので好ましい。薬品賦活活性炭としては、塩化亜鉛賦活活性炭、リン酸賦活活性炭等が挙げられる。
【００２４】
消臭シート５の消臭剤の含有量は、トイレシートの飽和吸収量（ｇ）に対し２〜２０ｎｍの細孔の容積が０．３ｍｌ／１００ｇ以上であるのが好ましく、０．６ｍｌ／１００ｇ以上であるのが更に好ましい。０．３ｍｌ／１００ｇ以上とすることにより、十分な消臭効果を発揮することができる。なお、前記飽和吸収量は、下記のようにして測定される。
飽和吸収量；トイレシートを生理食塩水に３０分間浸漬する。３０分経過後吸収性物品を引き上げ、３０分間水切りを行い、水切り後の重量（ｇ）から浸漬前の重量（ｇ）を差し引き、これを飽和吸収量とする。消臭層５１は、多孔性の消臭剤及び繊維原料を含有したスラリーから、常法通り、通常の湿式抄紙法によりシート状に成形して得ることができる。
【００２５】
消臭シート５を構成するパルプシート５２、５３としては、液透過性の材料が用いられ、具体的には、紙、不織布等が用いられる。紙とした場合、繊維原料としては、消臭層５１と同様のものが使用できる。また、不織布とした場合、例えば、スパンレース不織布、スパンボンド不織布等の公知の不織布がいずれも使用できる。トイレシート１Ａにおいては、パルプシート５２，５３に紙を用いており、尿などの液体が、パルプシート５２，５３と接触した際にパルプシート上で面方向に拡散し、一部は暫くの間パルプシート上に残るので、有色の消臭剤の色を浮き立たせる効果があり、好ましい。特に、パルプシート５２，５３に未晒しパルプ製シートを用いると面方向の拡散性がより高く、また、消臭効果と有色の消臭剤の遮蔽効果が付加できるので好ましい。また、パルプシート５２，５３に紙を使用する場合には、クレープ加工した紙を用いることにより、液拡散性を高めることが可能となり好ましい。クレープ加工としてはドライクレープを用いると、液と接触した後にクレープ部分が伸びて面積が広がることから、有色の消臭剤の色を浮き立たせる面積が広がることが期待でき、好ましい。
【００２６】
トイレシート１Ａにおいては、消臭シート５と表面シート２との間に、有色の消臭剤よりもＬ*ａ*ｂ*表色系のＬ*値が大きく且つ光透過率が表面シート２よりも低い液保持可能な有色の液透過性の中間シート６が配されている。トイレシート１Ａは、中間シート６を複数有している。各中間シート６は、トイレシート１Ａにおいては、消臭シート５を構成する消臭層５１の形状に略一致する形状をなしており、各消臭層５１に対応するように、各消臭層５１の上側に配して固定されている。中間シート６が消臭シート５を構成する消臭層５１と表面シート２との間に配されることにより、以下の効果が奏される。
【００２７】
まず、排尿前のトイレシート１Ａにおいては、有色の消臭剤が黒色の場合には、消臭剤の黒色が遮蔽されて、室内で使用するトイレシートと室内の雰囲気との美観の調和を取りやすい。また、排尿された直後においては、有色の消臭剤の黒色を浮き立たせることにより、消臭剤によって嗅覚的に分かり難くなった排尿の有無を視覚的に判断しやすくなる。排尿直後の視覚性の効果は、以下のメカニズムによって説明される。即ち、ペットがトイレシート１Ａに排尿すると、尿は表面シート２を素早く通過した後に中間シート６に到達する。ここで、中間シート６は液保持性可能であるため、液を保持した状態でそれより下側にある消臭シート５に押し当てられる。また、中間シート６は液透過性でもあるので、中間シート６に到達した尿の大部分は下側へ透過され、消臭シート５に受け渡される。このとき、消臭シート５の、上側に位置するパルプシート５２の濡れた部分に存在する有色の消臭剤の黒色が、濡れていない消臭剤の黒色の部分と比較して浮き出て見える。中間シート６が液保持可能なために、この浮き出て見える時間が暫く続くことから、排尿直後から暫くの間は、表面シート２側から排尿の有無を視認することが容易になる。
【００２８】
中間シート６は、Ｌ*ａ*ｂ*表色系のＬ*値が有色の消臭剤よりも大きく、具体的には、有色の消臭剤よりもＬ*値が２〜４０、特に２〜３０、更に５〜２５高いことが、未使用時の遮蔽効果の観点、及び濡れた際に有色の消臭剤が浮き出て見え易くなるので好ましい。また、中間シート６は、Ｌ*値が消臭シート５より大きいことがなお好ましい。なお、中間シート６のＬ*値は色差計によって測定できる。例えば、日本電色工業（株）のハンディ型分光色差計ＮＦ７７７（商品名）を用い、照明条件Ｃ、視野角条件２°、正面受光条件０／４５°、光束径φ１０ｍｍの測定条件で、トイレシート１で配した枚数分の中間シート６の反射光を測定して求めることができる。このとき、背景板としてＬ*値が９５以上の白色板を用いて測定することが好ましい。
【００２９】
また、中間シート６のＬ*値は消臭シート５のＬ*値よりも２〜３０、特に５〜３０、更に７〜２５高いことが、同様の観点から好ましい。
中間シート６のＬ*値は、具体的には５〜６０、特に１０〜５０であると、未使用時の遮蔽効果と、室内の美観との調和を両立する観点から、そして、排尿後の視認性の観点から好ましい。
【００３０】
中間シート６は光透過性であるが、表面シート２よりも光透過性が低い。このため、未使用時の遮蔽性に優れるとともに、表面シート側から排尿の有無の確認がし易くなっている。表面シート２と中間シート６の光透過率の差は２０〜９０％、特に２５〜７０％であることが好ましい。なお、光透過率の測定方法は、表面シート２における測定方法と同様にして行う。
【００３１】
本発明のトイレシート１は、表面シート２の上側から測定したＬ*値が８〜７０、特に１０〜６５であると、未使用時の遮蔽効果と、室内の美観との調和を両立する観点から、そして、排尿後の視認性の観点から好ましい。ここで測定されるＬ*値は、消臭剤が配置されている部分と消臭剤の色よりも淡い色の液保持可能領域それぞれで任意の５点ずつ測定して得られた１０点の値の平均値である。
【００３２】
中間シート６は液透過性であるとともに液保持可能である。ここで液保持可能とは、吸収体４に求められるような半永久的な保持能力に限定するものではなく、一時的な保持力を有する場合も含むものである。中間シート６は消臭シート５よりも上側に存在することから、一時的な保持力を有するものであることが臭いを外部に漏らしにくいので好ましい。液透過性でかつ液保持可能な性質を有する材料としては、ティッシュペーパー等の薄葉紙、ダンボール紙等の厚紙を含む紙製品、親水性繊維を構成成分とする親水性の不織布や織布が挙げられる。
【００３３】
中間シート６を構成するシートが紙製品の場合には、当該構成シートの坪量が１０〜５０ｇ／ｍ2、特に２０〜４５ｇ／ｍ2であると液体透過性と液保持性のバランスが良く、また、遮蔽効果も十分なので好ましい。特に、クレープ加工した紙を用いることが、未使用時の遮蔽性と排尿後の視認性の両立の観点から好ましい。中間シート６の繊維原料としては、ＮＢＫＰ、ＬＢＫＰ等の木材パルプの他、藁、綿等の非木材パルプ等の公知の天然繊維が使用できる。また、シート強度を向上させる目的で、ポリエチレン繊維等の合成繊維を適宜混合してもよい。
【００３４】
中間シート６の好ましいシート材料としては、未晒しパルプ製の紙が挙げられる。未晒しパルプ製の紙はそれ自体が茶色であって遮蔽性に優れるとともに、木材成分による消臭性能が付与され、また、リグニン等の成分によって適度な親水性を備えていることから面方向への液拡散性と下方向への液透過性のバランスが良い。このために、排尿後の液拡散面積が適度なので排尿の有無が視認し易い。更に、中間シート６に未晒しパルプ製の紙を用いると、消臭シート５の有色の消臭剤が特に黒色の場合に遮蔽効果が付加できる。
【００３５】
トイレシート１Ａにおいては、消臭シート５の方が中間シート６よりも液拡散速度が速いことが好ましい。こうすることによって、消臭シート５表面では液が相対的に長い時間残り易く、面方向に拡がることで中間シート６の広い面積で尿が一時的に保持しやすい状態となる。したがって、排尿から比較的長い時間が経過した後であっても排尿の有無が視認し易くなる。液吸収速度をこのような関係とするためには、構成するシート材料を中間シート６よりも消臭シート５の方の親水性を低くする方法や、同等の吸収速度のシート材料を使用しながら消臭シート５に使用する消臭剤を疎水性のものとする方法等が挙げられる。後者の方法を使用することが、長期に亘った消臭性能を得られるとともに、大量の尿を一度に排泄された場合に消臭が素早く行われるので好ましい。なお、吸収速度は以下のようにして測定される。
液拡散速度の測定方法：  各シートを直径３０ｍｍのシャーレの上に緊張状態で静置し、上方から赤く着色した生理食塩水５ｍｌを、ピペットを用いて１箇所に１０秒かけて滴下する。滴下終了後の液の広がり面積を測定し、これを拡散速度とした。
【００３６】
本発明のペット用トイレシートは、排泄側の表面から見たときに、ペット用トイレシートの少なくとも周縁部を除く部分に、消臭剤の色よりも淡い色の液保持可能領域７が形成されている。詳述すると、トイレシート１Ａは、図２に示すように、表面シート２及び裏面シート３の間に、吸収体４、吸収体４の上側にＸ方向に間隔を空けて配した複数の消臭層５１を有する消臭シート５、及び消臭シート５の各消臭層５１の上側に配された複数の中間シート６を配し、吸収体４の外周よりも外方に延出した、表面シート２及び裏面シート３の部分を互いに固定することにより形成されている。従って、トイレシート１Ａにおける液保持可能領域７とは、トイレシート１Ａを排泄側の表面から見たときに、Ｘ方向に一定間隔を空けて配した消臭層５１同士の間の領域に一致する領域のことである。尚、トイレシート１Ａは、上述したように、各消臭層５１の上側に中間シート６を配しているため、液保持可能領域７は、中間シート６同士の間の領域にも一致している。トイレシート１Ａにおいては、液保持可能領域７は、図１に示すように、排泄側の表面から見たときに、吸収体４の外周よりも外方に延出するペット用トイレシートの周縁部（吸収体４の外周よりも外方に延出した、表面シート２及び裏面シート３の部分を固定した部分）を除く部分、即ち、吸収体４の配された位置に、Ｘ方向に一定間隔を空けてストライプ状に形成されている。
【００３７】
吸収体４の表面積に対する、吸収体４上の液保持可能領域７の全面積（吸収体４の表面積から複数の消臭層５１の表面積の総和を差し引いた面積）の割合は、ペットの排尿後の液保持可能領域７の美感性と消臭層５１の消臭効果とのバランスの観点から、１〜４０％であることが好ましく、５〜２５％であることが更に好ましい。
各液保持可能領域７のＸ方向の長さ（各消臭層５１同士の間隔）は、同様の観点から、１〜５０ｍｍであることが好ましく、５〜３０ｍｍであることが更に好ましい。
【００３８】
液保持可能領域７は、トイレシート１Ａにおいては、視認性の点から、液保持可能領域７のＣＩＥ−Ｌ*ａ*ｂ*表色系のＬ*値が６５以上、特に８０以上（白色系）であることが好ましく、９０以上であることが更に好ましい。また、同様の観点から、液保持可能領域７において、ａ*値が−５〜５の範囲、特に−３〜３の範囲であることが好ましく、また、ｂ*値が−１０〜５の範囲、特に−１０〜３の範囲であることが好ましい。
【００３９】
次に上述した本発明の第１実施形態のトイレシート１Ａを使用した際の作用効果について説明する。
トイレシート１Ａは、図１，図２に示すように、表面シート２と吸収体４との間には、有色の消臭剤を含む消臭シート５が配されており、排泄側の表面から見たときに、ペット用トイレシート１Ａの周縁部を除く部分（吸収体４上）に、消臭剤の色よりも淡い色の液保持可能領域７が形成されている。このようなトイレシート１Ａを使用すると、上述したように、排尿された直後においては、有色の消臭剤の例えば黒色を浮き立たせることにより、消臭剤によって嗅覚的に分かり難くなった排尿の有無を視覚的に判断しやすくなる。次いで、消臭シート５に受け渡された尿が、更に下側に通過し、最終的に吸収体４に保持されたとしても、吸収体４に保持された尿の色が、液保持可能領域７を通して視認できるので、排尿されてから時間が経過しても、消臭剤によって嗅覚的に分かり難くなった排尿の有無を視覚的に判断できる。特に、トイレシート１Ａにおいては、液保持可能領域７がストライプ状に形成されているので、排尿箇所の如何に関らず、飼い主にとっては排尿の有無が確認しやすいと共に、来客者にとっては一見して排尿の有無が分かり難いというメリットがある。
【００４０】
次に、本発明の第２実施形態のトイレシートについて、図４に基づいて説明する。
第２実施形態のペット用トイレシート１Ｂ（以下、「トイレシート１Ｂ」ともいう）については、第１実施形態のトイレシート１Ａと異なる点について説明する。特に説明しない点は、トイレシート１Ａと同様であり、トイレシート１Ａの説明が適宜適用される。
【００４１】
トイレシート１Ｂの有する消臭シート５の形状が、トイレシート１Ａの有する消臭シート５の形状と異なっている。また、トイレシート１Ｂは、トイレシート１Ａの有する中間シート６を有しておらず、図４に示すように、白色系のシート８を複数有している。
【００４２】
トイレシート１Ｂの消臭シート５は、吸収体４と同じ長方形状に形成されており、吸収体４と同じ大きさに形成されている。トイレシート１Ｂの消臭シート５は、図５に示すように、Ｙ方向に長い１個の長方形状の消臭層５１を有し、消臭シート５の輪郭と一致する輪郭の上側のパルプシート５２及び下側のパルプシート５３を有している。トイレシート１Ｂの消臭シート５を構成するパルプシート５２，５３は、図５に示すように、Ｙ方向の長さがトイレシート１Ｂの消臭層５１のＹ方向の長さと略一致しており、Ｘ方向の長さがトイレシート１Ｂの消臭層５１のＸ方向の長さよりも長く形成されている。トイレシート１Ｂの消臭シート５は、図５に示すように、上側のパルプシート５２及び下側のパルプシート５３の間に長方形状の１個の消臭層５１を配し、消臭層５１のＸ方向の両端縁よりも外方に延出した、パルプシート５２，５３の部分を互いに固定することにより形成されている。このように形成されるトイレシート１Ｂの消臭シート５としては、本出願人が先に出願した特開２００１−３０９９６８号公報に記載の方法を用いて製造された消臭シートを用いることができる。
【００４３】
トイレシート１Ｂは、表面シート２と消臭シート５との間に、白色系のシート８を複数有している。白色系の各シート８は、トイレシート１Ｂにおいては、Ｙ方向に長い長方形状に形成されており、各シート８のＹ方向の長さと、消臭シート５及び吸収体４のＹ方向の長さとは略同じである。トイレシート１Ｂの白色系の複数のシート８は、図４に示すように、消臭シート５の上側に、消臭シート５のＹ方向に亘って配され、Ｘ方向に一定間隔を空けて配されている。
【００４４】
トイレシート１Ｂは、図４に示すように、表面シート２及び裏面シート３の間に、吸収体４、吸収体４の上側に消臭シート５、及び消臭シート５の上側にＸ方向に一定間隔を空けて配された複数の白色系のシート８を配し、吸収体４の外周よりも外方に延出した、表面シート２及び裏面シート３の部分を互いに固定することにより形成されている。従って、トイレシート１Ｂにおける液保持可能領域７とは、トイレシート１Ｂを排泄側の表面から見たときに、Ｘ方向に一定間隔を空けて配した白色系のシート８に一致する領域のことである。トイレシート１Ｂにおいては、液保持可能領域７は、排泄側の表面から見たときに、吸収体４の外周よりも外方に延出するペット用トイレシートの周縁部（吸収体４の外周よりも外方に延出した、表面シート２及び裏面シート３の部分を固定した部分）を除く部分、即ち、吸収体４の配された位置に、Ｘ方向に一定間隔を空けてストライプ状に形成されている。
【００４５】
吸収体４の表面積に対する、吸収体４上の液保持可能領域７の全面積（白色系の複数のシート８の表面積の総和）の割合や、液保持可能領域７のＸ方向の長さ（各白色系のシート８同士の間隔）各々の好ましい範囲は、トイレシート１Ａと同じである。
【００４６】
白色系のシート８としては、ティッシュペーパー等の薄葉紙、親水性繊維を構成成分とする親水性の不織布や織布等を用いることができ、トイレシート１Ｂを排泄側の表面から見たときに、液保持可能領域７のＣＩＥ−Ｌ*ａ*ｂ*表色系のＬ*値が８０以上となるものであれば良い。例えば、白色系のシート８が親水性の不織布である場合には、その坪量が５〜８０ｇ／ｍ2であることが好ましい。
【００４７】
第２実施形態のトイレシート１Ｂの形成材料について説明する。第２実施形態のトイレシート１Ｂについては、白色系のシート８以外、第１実施形態のトイレシート１Ａの形成材料と同様である。
【００４８】
上述した本発明の第２実施形態のトイレシート１Ｂを使用した際の作用効果について説明する。
第２実施形態のトイレシート１Ｂの効果については、第１実施形態のトイレシート１Ａの効果と異なる点について説明する。特に説明しない点は、第１実施形態のトイレシート１Ａの効果と同様であり、第１実施形態のトイレシート１Ａの効果の説明が適宜適用される。
【００４９】
トイレシート１Ｂは、液保持可能領域７が尿を保持した状態が視認しやすいので、排尿後比較的長時間が経過した場合でも、排尿の有無が分かり易い。また、消臭シート５の面積を広く取ることが可能なので、高い消臭効果を長時間維持することが可能である。
【００５０】
次に、本発明の第３実施形態のトイレシートについて、図６に基づいて説明する。
第３実施形態のペット用トイレシート１Ｃ（以下、「トイレシート１Ｃ」ともいう）については、第１実施形態のトイレシート１Ａと異なる点について説明する。特に説明しない点は、トイレシート１Ａと同様であり、トイレシート１Ａの説明が適宜適用される。
【００５１】
トイレシート１Ｃの有する消臭シート５の形状は、トイレシート１Ａの有する消臭シート５の形状と異なっている。また、トイレシート１Ｃは、図６に示すように、トイレシート１Ａの有する中間シート６を有していない。
【００５２】
トイレシート１Ｃは、吸収体４と表面シート２との間に、消臭シート５を複数有している。各消臭シート５は、トイレシート１Ｃにおいては、Ｙ方向に長い長方形状に形成されており、各消臭シート５のＹ方向の長さと、吸収体４のＹ方向の長さとは略同じである。トイレシート１Ｃの複数の消臭シート５は、図６に示すように、吸収体４の上側に、吸収体４のＹ方向に亘って配され、Ｘ方向に一定間隔を空けて配されている。各消臭シート５を構成する消臭層５１、上側のパルプシート５２、及び下側のパルプシート５３は、それぞれ、消臭シート５の輪郭と一致しており、Ｘ方向及びＹ方向の長さが同じである。トイレシート１Ｃの消臭シート５は、本出願人が先に出願した特開２００１−３０９９６８号公報に記載の方法を用いて製造された消臭シートを短冊状に切断することにより形成することができる。
【００５３】
トイレシート１Ｃは、図６に示すように、表面シート２及び裏面シート３の間に、吸収体４、及び吸収体４の上側にＸ方向に一定間隔を空けて配された複数の消臭シート５を配し、吸収体４の外周よりも外方に延出した、表面シート２及び裏面シート３の部分を互いに固定することにより形成されている。従って、トイレシート１Ｃにおける液保持可能領域７とは、トイレシート１Ｃを排泄側の表面から見たときに、Ｘ方向に一定間隔を空けて配した消臭シート５同士の間の領域に一致する領域のことである。トイレシート１Ｃにおいては、液保持可能領域７は、図６に示すように、排泄側の表面から見たときに、吸収体４の外周よりも外方に延出するペット用トイレシートの周縁部（吸収体４の外周よりも外方に延出した、表面シート２及び裏面シート３の部分を固定した部分）を除く部分、即ち、吸収体４の配された位置に、Ｘ方向に一定間隔を空けてストライプ状に形成されている。
【００５４】
第３実施形態のトイレシート１Ｃの形成材料について説明する。第３実施形態のトイレシート１Ｃについては、第１実施形態のトイレシート１Ａの形成材料と同様である。
【００５５】
上述した本発明の第３実施形態のトイレシート１Ｃを使用した際の作用効果について説明する。
第３実施形態のトイレシート１Ｃの効果については、第１実施形態のトイレシート１Ａの効果と異なる点について説明する。特に説明しない点は、第１実施形態のトイレシート１Ａの効果と同様であり、第１実施形態のトイレシート１Ａの効果の説明が適宜適用される。
【００５６】
トイレシート１Ｃは、排泄された液が消臭シート５，５の間の領域から直接吸収体４に到達するので、排泄された尿の色が固定されて視認しやすくなると共に、尿が吸収体に吸収・保持され易いので、吸収性能が発揮され易い。
【００５７】
本発明のトイレシートは、上述の第１実施形態のトイレシート１Ａ、第２実施形態の使トイレシート１Ｂ、及び第３実施形態のトイレシート１Ｃに何ら制限されるものではなく、適宜変更可能である。また、上述の第１，第２，第３実施形態のトイレシートにおける各構成要件は、本発明の趣旨を損なわない範囲で、適宜組み合わせて実施できる。
【００５８】
例えば、上述の第１，第２，第３実施形態のトイレシート１Ａ，１Ｂ，１Ｃにおいては、図１，図２，図４，図６に示すように、液保持可能領域７が、吸収体４の配された位置に、Ｘ方向に一定間隔を空けてストライプ状に形成されているが、ストライプ状に形成されていなくてもよい。例えば、本出願人が先に出願した特開２００１−３０９９６８号公報に記載の方法を用いて製造された消臭シートを、図７（ａ）に示すように、矩形状に切断し、矩形状の各消臭シート片を吸収体４の上側にＸ方向及びＹ方向それぞれに一定間隔を空けて配したものを、表面シート２及び裏面シート３の間に配してトイレシートの液保持可能領域を形成してもよく、消臭シートを、図７（ｂ）に示すように円形状に打ち抜いたり、図７（ｃ）に示すようにペットの例えば犬の模様に打ち抜いたり、図７（ｄ）に示すように犬の模様に様々な飾り模様を付けたような模様に打ち抜いたりし、図７（ｂ）〜（ｄ）に示すような模様に打ち抜いた消臭シートを吸収体４の上側に配したものを、表面シート２及び裏面シート３の間に配してトイレシートの液保持可能領域を形成してもよい。
【００５９】
また、本発明のペット用トイレシートの各構成材料には、本発明の効果を損ねない範囲で種々添加剤を配合しても良い。添加材としては、抗菌剤、無色系又は淡色系の消臭剤、香料などが挙げられる。
【００６０】
本実施形態のペット用トイレシートは、犬や猫などの動物用トイレシートとして好適であるが、このほか、ウサギ、ハムスター等の動物用トイレシートとしても使用可能である。
【符号の説明】
【００６１】
１，１Ａ，１Ｂ，１Ｃ  トイレシート
２  表面シート
３  裏面シート
４  吸収体
５  消臭シート
５１  有色の消臭剤を含む消臭層
５２、５３  パルプシート
６  中間シート
７  液保持可能領域
８  白色系のシート
【図１】
0005483598.tif 000002
【図２】
0005483598.tif 000003
【図３】
0005483598.tif 000004
【図４】
0005483598.tif 000005
【図５】
0005483598.tif 000006
【図６】
0005483598.tif 000007
【図７】
0005483598.tif 000008